(57)【要約】【課題】  効率的に画像形成し、画像を形成した用紙が他人の手に渡るのを防止する。【解決手段】  ＭＦＰは、プリントジョブを受け付けるプリントジョブ受付部１０と、用紙に画像を形成する画像形成部と、用紙を蓄積する排紙トレイと、排紙トレイに用紙が蓄積されているか否かを検出する排紙センサと、画像形成部が画像を形成することに応じて、プリントジョブに含まれるユーザ識別情報を含む実行・待機ジョブデータを生成して記憶し、排紙トレイに用紙が蓄積されていないことが検出されると、実行・待機ジョブデータを消去するジョブ管理部４０と、実行・待機ジョブデータに基づいて、複数のユーザが指示したプリントジョブに基づいて画像が形成された用紙を排紙トレイが蓄積する混載状態か否かを判断する混載状態判断手段５０と、混載状態と判断された場合、警告を出力する警告部６０と、を備える。【選択図】        図４
2008023878.tif 000002
【特許請求の範囲】
【請求項１】
プリントデータとユーザ識別情報とを含むプリントジョブを受け付けるプリントジョブ受付手段と、
前記プリントジョブに基づいて用紙に画像を形成する画像形成手段と、
前記画像が形成された用紙を蓄積する蓄積手段と、
前記蓄積手段に用紙が蓄積されているか否かを検出する用紙有無検出手段と、
前記画像形成手段が前記プリントジョブに基づいて用紙に画像を形成することに応じて、該プリントジョブに含まれるユーザ識別情報を含む履歴情報を生成し、該生成した履歴情報を履歴情報記憶手段に記憶する履歴情報生成手段と、
前記用紙有無検出手段により、前記蓄積手段に用紙が蓄積されていないことが検出されることに応じて、前記記憶された履歴情報を前記履歴情報記憶手段から消去する履歴情報消去手段と、
前記履歴情報記憶手段が記憶する前記履歴情報に基づいて、第１のユーザ識別情報を含むプリントジョブに基づいて画像が形成された用紙と、第２のユーザ識別情報を含むプリントジョブに基づいて画像が形成された用紙とを前記蓄積手段が蓄積する混載状態か否かを判断する判断手段と、
前記判断手段により混載状態と判断された場合、警告を出力する警告手段と、を備えた画像形成装置。
【請求項２】
前記判断手段は、前記履歴情報記憶手段が複数の履歴情報を記憶しており、前記複数の履歴情報の少なくとも１つが含むユーザ識別情報と他の履歴情報が含むユーザ識別情報とを比較する比較手段を含む、請求項１に記載の画像形成装置。
【請求項３】
前記判断手段は、前記画像形成手段が画像を形成する対象のプリントジョブが含むユーザ識別情報と、前記履歴情報記憶手段に記憶されている前記履歴情報が含むユーザ識別情報とを比較する比較手段を含む、請求項１に記載の画像形成装置。
【請求項４】
前記判断手段は、前記プリントジョブ受付手段が前記プリントジョブを受け付けることに応じて、混載状態か否かを判断する、請求項１に記載の画像形成装置。
【請求項５】
前記判断手段は、前記画像形成手段が前記プリントジョブに基づく画像形成を終了することに応じて、混載状態か否かを判断する、請求項１に記載の画像形成装置。
【請求項６】
前記警告手段は、操作パネルに警告を出力する、請求項１に記載の画像形成装置。
【請求項７】
前記プリントジョブ受付手段は、互いに通信可能に接続されたコンピュータからプリントジョブを受信するプリントジョブ受信手段を含み、
前記警告手段は、前記プリントジョブを送信してきたコンピュータに警告を送信する警告送信手段を含む、請求項１に記載の画像形成装置。
【請求項８】
画像が形成された用紙を蓄積する蓄積手段とデータを記憶する記憶手段とを備えた画像形成装置で実行される混載状態警告方法であって、
プリントデータとユーザ識別情報とを含むプリントジョブを受け付けるステップと、
前記プリントジョブに基づいて用紙に画像を形成するステップと、
前記蓄積手段に用紙が蓄積されているか否かを検出するステップと、
前記プリントジョブに基づいて用紙に画像を形成することに応じて、該プリントジョブに含まれるユーザ識別情報を含む履歴情報を生成し、該生成した履歴情報を前記記憶手段に記憶するステップと、
前記蓄積手段に用紙が蓄積されていないことが検出されることに応じて、前記記憶された履歴情報を前記記憶手段から消去するステップと、
前記記憶手段が記憶する前記履歴情報に基づいて、第１のユーザ識別情報を含むプリントジョブに基づいて画像が形成された用紙と、第２のユーザ識別情報を含むプリントジョブに基づいて画像が形成された用紙とを前記蓄積手段が蓄積する混載状態か否かを判断するステップと、
混載状態と判断された場合、警告を出力するステップと、を含む混載状態警告方法。
【請求項９】
画像が形成された用紙を蓄積する蓄積手段とデータを記憶する記憶手段とを備えた画像形成装置で実行される混載状態警告プログラムであって、
プリントデータとユーザ識別情報とを含むプリントジョブを受け付けるステップと、
前記プリントジョブに基づいて用紙に画像を形成するステップと、
前記蓄積手段に用紙が蓄積されているか否かを検出するステップと、
前記プリントジョブに基づいて用紙に画像を形成することに応じて、該プリントジョブに含まれるユーザ識別情報を含む履歴情報を生成し、該生成した履歴情報を前記記憶手段に記憶するステップと、
前記蓄積手段に用紙が蓄積されていないことが検出されることに応じて、前記記憶された履歴情報を前記記憶手段から消去するステップと、
前記記憶手段が記憶する前記履歴情報に基づいて、第１のユーザ識別情報を含むプリントジョブに基づいて画像が形成された用紙と、第２のユーザ識別情報を含むプリントジョブに基づいて画像が形成された用紙とを前記蓄積手段が蓄積する混載状態か否かを判断するステップと、
混載状態と判断された場合、警告を出力するステップと、を画像形成装置に実行させる混載状態警告プログラム。
【発明の詳細な説明】
【技術分野】
【０００１】
この発明は画像形成装置、混載状態警告方法および混載状態警告プログラムに関し、特に画像を形成した用紙を１つのトレイに蓄積する画像形成装置、その画像形成装置で実行される混載状態警告方法および混載状態警告プログラムに関する。
【背景技術】
【０００２】
近年、ネットワークを用いた通信技術が発達しており、ネットワークに接続された画像形成装置を複数のユーザが共有することが可能となっている。このため、複数のユーザが、画像形成装置に同時または連続してプリントさせる場合があり、その場合には、画像形成装置は、プリントジョブを受信した順に実行する。画像形成装置は、プリントジョブを実行すると画像を形成した用紙を排紙トレイに排出するため、複数のプリプリントジョブに対応する複数枚の用紙が排紙トレイに重ねて排出される。このため、複数枚の用紙が１束となって排紙トレイに蓄積されるので、プリントジョブの実行を指示したユーザが複数の場合には、他人が誤って用紙を持っていってしまう場合があるといった問題がある。特に、機密情報をプリントした場合には、問題である。
【０００３】
特開２００４−２７９４８７号公報には、画像束を蓄積する画像束蓄積機能と、特定の利用者を識別する利用者識別機能と、画像束毎に識別された特定の利用者のみ印刷を可能する印刷許可機能と、排紙トレイ上の紙有無を検出する紙有無検出機能とを有する画像形成装置であって、印刷許可機能を実行して出力する際に、出力先の排紙トレイ上の紙無し状態を検出しない場合、利用者識別機能の実行を禁止する画像形成装置が記載されている。
【０００４】
しかしながら、従来の画像形成装置は、排紙トレイから用紙を除去した後でなければ印刷することができないため、画像を形成するまでの待ち時間がかかり、効率が悪くなるといった問題がある。
【特許文献１】特開２００４−２７９４８７号公報
【発明の開示】
【発明が解決しようとする課題】
【０００５】
この発明は上述した問題点を解決するためになされたもので、この発明の目的の１つは、効率的に画像を形成することができるとともに、画像を形成した用紙が他人の手に渡るのを防止した画像形成装置を提供することである。
【０００６】
この発明の他の目的は、効率的に画像を形成することができるとともに、画像を形成した用紙が他人の手に渡るのを防止した混載状態警告方法を提供することである。
【０００７】
この発明のさらに他の目的は、効率的に画像を形成することができるとともに、画像を形成した用紙が他人の手に渡るのを防止した混載状態警告プログラムを提供することである。
【課題を解決するための手段】
【０００８】
上述した目的を達成するためにこの発明のある局面によれば、画像形成装置は、プリントデータとユーザ識別情報とを含むプリントジョブを受け付けるプリントジョブ受付手段と、プリントジョブに基づいて用紙に画像を形成する画像形成手段と、画像が形成された用紙を蓄積する蓄積手段と、蓄積手段に用紙が蓄積されているか否かを検出する用紙有無検出手段と、画像形成手段がプリントジョブに基づいて用紙に画像を形成することに応じて、該プリントジョブに含まれるユーザ識別情報を含む履歴情報を生成し、該生成した履歴情報を履歴情報記憶手段に記憶する履歴情報生成手段と、用紙有無検出手段により、蓄積手段に用紙が蓄積されていないことが検出されることに応じて、記憶された履歴情報を履歴情報記憶手段から消去する履歴情報消去手段と、履歴情報記憶手段が記憶する履歴情報に基づいて、第１のユーザ識別情報を含むプリントジョブに基づいて画像が形成された用紙と、第２のユーザ識別情報を含むプリントジョブに基づいて画像が形成された用紙とを蓄積手段が蓄積する混載状態か否かを判断する判断手段と、判断手段により混載状態と判断された場合、警告を出力する警告手段と、を備える。
【０００９】
この局面に従えば、プリントジョブに基づいて用紙に画像を形成することに応じて、プリントジョブに含まれるユーザ識別情報を含む履歴情報が生成され、記憶される。一方、蓄積手段に用紙が蓄積されていないことが検出されることに応じて、履歴情報が消去される。そして、履歴情報に基づいて、第１のユーザ識別情報を含むプリントジョブに基づいて画像が形成された用紙と、第２のユーザ識別情報を含むプリントジョブに基づいて画像が形成された用紙とが蓄積された混載状態か否かが判断され、混載状態と判断された場合、警告が出力される。このため、複数のユーザの指示により画像が形成された用紙を混載するので、画像を形成するのを中断する必要がない。また、混載状態となった場合にユーザに通知するので、画像が形成された用紙を取得するユーザに、自己の指示により画像が形成された用紙と他人の指示により画像が形成された用紙とが混載していることを知らせることができる。その結果、効率的に画像を形成することができるとともに、画像を形成した用紙が他人の手に渡るのを防止した画像形成装置を提供することができる。
【００１０】
好ましくは、判断手段は、履歴情報記憶手段が複数の履歴情報を記憶しており、複数の履歴情報の少なくとも１つが含むユーザ識別情報と他の履歴情報が含むユーザ識別情報とを比較する比較手段を含む。
【００１１】
好ましくは、判断手段は、画像形成手段が画像を形成する対象のプリントジョブが含むユーザ識別情報と、履歴情報記憶手段に記憶されている履歴情報が含むユーザ識別情報とを比較する比較手段を含む。
【００１２】
好ましくは、判断手段は、プリントジョブ受付手段がプリントジョブを受け付けることに応じて、混載状態か否かを判断する。
【００１３】
好ましくは、判断手段は、画像形成手段がプリントジョブに基づく画像形成を終了することに応じて、混載状態か否かを判断する。
【００１４】
好ましくは、警告手段は、操作パネルに警告を出力する。
【００１５】
好ましくは、プリントジョブ受付手段は、互いに通信可能に接続されたコンピュータからプリントジョブを受信するプリントジョブ受信手段を含み、警告手段は、プリントジョブを送信してきたコンピュータに警告を送信する警告送信手段を含む。
【００１６】
この発明の他の局面によれば、混載状態警告方法は、画像が形成された用紙を蓄積する蓄積手段とデータを記憶する記憶手段とを備えた画像形成装置で実行される混載状態警告方法であって、プリントデータとユーザ識別情報とを含むプリントジョブを受け付けるステップと、プリントジョブに基づいて用紙に画像を形成するステップと、蓄積手段に用紙が蓄積されているか否かを検出するステップと、プリントジョブに基づいて用紙に画像を形成することに応じて、該プリントジョブに含まれるユーザ識別情報を含む履歴情報を生成し、該生成した履歴情報を記憶手段に記憶するステップと、蓄積手段に用紙が蓄積されていないことが検出されることに応じて、記憶された履歴情報を記憶手段から消去するステップと、記憶手段が記憶する履歴情報に基づいて、第１のユーザ識別情報を含むプリントジョブに基づいて画像が形成された用紙と、第２のユーザ識別情報を含むプリントジョブに基づいて画像が形成された用紙とを蓄積手段が蓄積する混載状態か否かを判断するステップと、混載状態が検出された場合、警告を出力するステップと、を含む。
【００１７】
この局面に従えば、効率的に画像を形成することができるとともに、画像を形成した用紙が他人の手に渡るのを防止した混載状態警告方法を提供することができる。
【００１８】
この発明の他の局面によれば、混載状態警告プログラムは、画像が形成された用紙を蓄積する蓄積手段とデータを記憶する記憶手段とを備えた画像形成装置で実行される混載状態警告プログラムであって、プリントデータとユーザ識別情報とを含むプリントジョブを受け付けるステップと、プリントジョブに基づいて用紙に画像を形成するステップと、蓄積手段に用紙が蓄積されているか否かを検出するステップと、プリントジョブに基づいて用紙に画像を形成することに応じて、該プリントジョブに含まれるユーザ識別情報を含む履歴情報を生成し、該生成した履歴情報を記憶手段に記憶するステップと、蓄積手段に用紙が蓄積されていないことが検出されることに応じて、記憶された履歴情報を記憶手段から消去するステップと、記憶手段が記憶する履歴情報に基づいて、第１のユーザ識別情報を含むプリントジョブに基づいて画像が形成された用紙と、第２のユーザ識別情報を含むプリントジョブに基づいて画像が形成された用紙とを蓄積手段が蓄積する混載状態か否かを判断するステップと、混載状態が検出された場合、警告を出力するステップと、を画像形成装置に実行させる。
【００１９】
この局面に従えば、効率的に画像を形成することができるとともに、画像を形成した用紙が他人の手に渡るのを防止した混載状態警告プログラムを提供することができる。
【発明を実施するための最良の形態】
【００２０】
以下、本発明の実施の形態について図面を参照して説明する。以下の説明では同一の部品には同一の符号を付してある。それらの名称および機能も同じである。したがってそれらについての詳細な説明は繰返さない。
【００２１】
図１は、本発明の実施の形態の１つにおける画像形成システムの全体概要を示す図である。図１を参照して、画像形成システム１は、それぞれがネットワーク２に接続された画像形成装置としてのＭＦＰ（Ｍｕｌｔｉ  Ｆｕｎｃｔｉｏｎ  Ｐｅｒｉｐｈｅｒａｌ）１００と、パーソナルコンピュータ（以下「ＰＣ」という）１０５と、を含む。なお、図ではネットワーク２に１台のＭＦＰ１００および１台のＰＣ１０５が接続されている例を示しているが、それらの台数を限定するものではない。また、ＭＦＰ１００に代えて、画像を形成する機能を備えた装置であれば、たとえば、プリンタ、ファクシミリ装置等であってもよい。
【００２２】
ネットワーク２は、ローカルエリアネットワーク（ＬＡＮ）であり、接続形態は有線または無線を問わない。またネットワーク２は、ＬＡＮに限らず、公衆交換電話網（ＰＳＴＮ）を用いたネットワーク等であってもよい。さらに、ネットワーク２は、インターネットなどのワイドエリアネットワーク（ＷＡＮ）に接続されている。
【００２３】
ＰＣ１０５は、一般的なコンピュータであり、そのハード構成および機能は周知なので、ここでは説明を繰り返さない。ＰＣ１０５は、ＭＦＰ１００を制御するためのプリンタドライバプログラムがインストールされており、ＰＣ１０５からＭＦＰ１００にプリントジョブを送信する。ＭＦＰ１００は、ＰＣ１０５からプリントジョブを受信すると、そのプリントジョブを実行し、用紙に画像を形成する。
【００２４】
図２は、ＭＦＰの外観を示す斜視図である。図３は、ＭＦＰの機能の概要を示す機能ブロック図である。図２および図３を参照して、ＭＦＰ１００は、メイン回路１１０と、原稿を読み取るための原稿読取部１３０と、原稿を原稿読取部１３０に搬送するための自動原稿搬送装置（ＡＤＦ）１２０と、原稿読取部１３０が原稿を読み取って出力する画像データに基づいて用紙等に画像を形成するための画像形成部１４０と、画像形成部１４０に用紙を供給するための給紙部１５０と、画像形成部１４０が画像を形成した用紙を蓄積するための排紙トレイ１６０と、ユーザインターフェイスとしての操作パネル１７０とを含む。
【００２５】
メイン回路１１０は、ＣＰＵ１１１と、通信インターフェイス（Ｉ／Ｆ）部１１２と、ＲＯＭ１１３と、ＲＡＭ１１４と、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）１１５と、大容量記憶装置としてのハードディスクドライブ（ＨＤＤ）１１６と、ファクシミリ部１１７と、フラッシュメモリ１１８Ａが装着されるカードインターフェイス（Ｉ／Ｆ）１１８と、排紙センサ１１９とを含む。ＣＰＵ１１１は、ＡＤＦ１２０、原稿読取部１３０、画像形成部１４０、給紙部１５０および操作パネル１７０と接続され、ＭＦＰ１００の全体を制御する。
【００２６】
ＲＯＭ１１３は、ＣＰＵ１１１が実行するプログラム、またはそのプログラムを実行するために必要なデータを記憶する。ＲＡＭ１１４は、ＣＰＵ１１１がプログラムを実行する際の作業領域として用いられる。また、ＲＡＭ１１４は、原稿読取部１３０から連続的に送られてくる読取データ（画像データ）を一時的に記憶する。
【００２７】
操作パネル１７０は、ＭＦＰ１００の上面に設けられ、表示部１７０Ａと操作部１７０Ｂとランプ１７０Ｃとを含む。表示部１７０Ａは、液晶表示装置（ＬＣＤ）、有機ＥＬＤ（Ｅｌｅｃｔｒｏ  Ｌｕｍｉｎｅｓｃｅｎｃｅ
Ｄｉｓｐｌａｙ）等の表示装置であり、ユーザに対する指示メニューや取得した画像データに関する情報等を表示する。操作部１７０Ｂは、複数のキーを備え、キーに対応するユーザの操作による各種の指示、文字、数字などのデータの入力を受付ける。操作部１７０Ｂは、表示部１７０Ａ上に設けられたタッチパネルをさらに含む。ランプ１７０Ｃは、発光ダイオード等の発光素子であり、後述するように、排紙トレイ１６０に排紙された用紙が混載状態の場合に発光する。
【００２８】
通信Ｉ／Ｆ部１１２は、ＭＦＰ１００をネットワーク２に接続するためのインターフェイスである。ＣＰＵ１１１は、通信Ｉ／Ｆ部１１２を介してＭＦＰ１０１〜１０９またはＰＣ２００との間で通信し、データを送受信する。
【００２９】
ファクシミリ部１１７は、公衆交換電話網（ＰＳＴＮ）に接続され、ＰＳＴＮにファクシミリデータを送信する、またはＰＳＴＮからファクシミリデータを受信する。ファクシミリ部１１７は、受信したファクシミリデータを、ＨＤＤ１１６に記憶する、または画像形成部１４０に出力する。画像形成部１４０は、ファクシミリ部１１７により受信されたファクシミリデータを用紙にプリントする。また、ファクシミリ部１１７は、ＨＤＤ１１６に記憶されたデータをファクシミリデータに変換して、ＰＳＴＮに接続されたファクシミリ装置に送信する。
【００３０】
カードＩ／Ｆ１１８は、フラッシュメモリ１１８Ａが装着される。ＣＰＵ１１１は、カードＩ／Ｆ１１８を介してフラッシュメモリ１１８Ａにアクセス可能である。ＣＰＵ１１１は、カードＩ／Ｆ１１８に装着されたフラッシュメモリ１１８Ａに記録された混載状態警告プログラムをＲＡＭ１１４にロードして実行する。なお、ＣＰＵ１１１が実行するプログラムは、フラッシュメモリ１１８Ａに記録された混載状態警告プログラムに限られず、ＨＤＤ１１６に記憶された混載状態警告プログラムをＲＡＭ１１４にロードして実行するようにしてもよい。この場合、ネットワーク２に接続された他のコンピュータが、ＭＦＰ１００のＨＤＤ１１６に記憶された混載状態警告プログラムを書換える、または、新たな混載状態警告プログラムを追加して書き込むようにしてもよい。さらに、ＭＦＰ１００が、ネットワーク２に接続された他のコンピュータから混載状態警告プログラムをダウンロードして、その混載状態警告プログラムをＨＤＤ１１６に記憶するようにしてもよい。ここでいうプログラムは、ＣＰＵ１１１が直接実行可能なプログラムだけでなく、ソースプログラム、圧縮処理されたプログラム、暗号化されたプログラム等を含む。
【００３１】
ＡＤＦ１２０は、原稿台に搭載された複数枚の原稿をさばいて１枚ずつ順に、原稿読取部１３０に搬送する。ＡＤＦ１２０は、原稿の両面を原稿読取部１３０に読み取らせるために、原稿を原稿読取部１３０に搬送して表面を読み取らせた後、原稿を裏返して原稿読取部
１３０に搬送して裏面を読み取らせる。原稿読取部１３０は、写真、文字、絵等の画像情報を原稿から光学的に読み取って画像データを取得する。画像形成部１４０は、画像データが入力されると、画像データに基づいて用紙等の用紙上に画像を印刷し、画像を形成した用紙を排紙トレイ１６０に排出する。
【００３２】
排紙トレイ１６０は、複数枚の用紙を蓄積可能であり、画像形成部１４０が排出する用紙を重ねて蓄積する。すなわち、後で排出された用紙が先に排出された用紙の上に重ねて蓄積する。排紙トレイ１６０は、排紙センサ１１９を含む。排紙センサ１１９は、排紙トレイ１６０に用紙が存在するか否かを検出する。排紙センサ１１９は、例えば、発光部と受光部とからなり、排紙トレイ１６０の用紙を蓄積する空間を挟んで対向して配置される。排紙センサ１１９は、発光部から発せられる光が排紙トレイ１６０に排紙された用紙により遮断される際の受光量の変化を受光部で検出し、用紙の有無を検出する。
【００３３】
給紙部１５０は、複数の給紙トレイを有し、指定された給紙トレイに格納した用紙を１枚ずつ画像形成部１４０に供給する。複数の給紙トレイそれぞれは、複数のサイズの用紙のうちから選ばれたサイズの用紙を、複数の方向のうちから選ばれた方向に収納する。ここでは、給紙部１５０が３つの第１〜第３給紙トレイを有し、第１の給紙トレイがＡ４サイズの用紙を縦方向に収納し、第２の給紙トレイがＡ４サイズの用紙を横方向に収納し、第３の給紙トレイがＡ３サイズの用紙を縦方向に収納する。また、給紙部１５０は、両面印刷が指定されると、用紙の両面に画像を形成するために、画像形成部１４０に搬送した用紙を表裏反転させて、再度画像形成部１４０に搬送する。
【００３４】
図４は、ＭＦＰが備えるＣＰＵ１１１の機能の概要を示す機能ブロック図である。図４を参照して、ＣＰＵ１１１は、プリントジョブを受け付けるプリントジョブ受付部１０と、プリントジョブを実行するジョブ実行部３０と、プリントジョブを一時記憶するための待機ジョブバッファ２０と、プリントジョブを管理するためのジョブ管理部４０と、排紙トレイ１６０に用紙が混載しているか混載状態か否かを判断するための混載状態判断部５０と、混載状態の場合に警告を出力する警告部６０と、を含む。
【００３５】
プリントジョブ受付部１０は、プリントジョブを受け付け、受け付けたプリントジョブを待機ジョブバッファに一時的に記憶する。プリントジョブ受付部１０は、通信Ｉ／Ｆ部１１２または操作部１７０Ｂからプリントジョブを受け付ける。プリントジョブ受付部１０が、通信Ｉ／Ｆ部１１２からプリントジョブを受け付ける場合、通信Ｉ／Ｆ１１２がＰＣ２００，２０１，２０２のいずれかからプリントジョブを受信すると、そのプリントジョブを受け付ける。この場合、ＰＣ２００，２０１，２０２から受信するプリントジョブは、ＰＣ２００，２０１，２０２において、プリントジョブの送信を指示したユーザを識別するためのユーザ識別情報を含む。なお、ＰＣ２００，２０１，２０２それぞれを操作するユーザが予め定まっている場合には、ＰＣ２００，２０１，２０２それぞれを識別するための装置識別情報とユーザ識別情報とを予め対応付けておき、ＰＣ２００，２０１，２０２のうちからプリントジョブを送信してきたＰＣを判別することにより、ユーザ識別情報を特定するようにしてもよい。この場合、プリントジョブにユーザ識別情報を含める必要はない。
【００３６】
プリントジョブ受付部１０が、操作部１７０Ｂからプリントジョブを受け付ける場合、プリントジョブ受付部１０は、ユーザが操作部１７０Ｂに入力するユーザ識別情報と、プリント条件と、プリントデータの指定とを受け付け、ユーザ識別情報、プリント条件およびプリントデータとからプリントジョブを生成する。ユーザが操作部１７０Ｂに入力するプリントデータの指定は、例えば、原稿読取部１３０が原稿を読み取って出力する画像データまたはＨＤＤ１１６に記憶されたデータである。なお、プリントジョブ受付部１０は、操作部１７０Ｂからプリントジョブを受け付ける場合、ＭＦＰ１００を操作するユーザを認証が成功した後に、プリントジョブを受け付けるようにしてもよい。
【００３７】
待機ジョブバッファ２０は、プリントジョブを一時的に記憶するバッファメモリである。待機ジョブバッファ２０は、複数のプリントジョブを記憶することが可能である。
【００３８】
ジョブ実行部３０は、待機ジョブバッファ２０に記憶されたプリントジョブを、順に読み出して実行する。ジョブ実行部３０は、画像形成部１４０を制御して、プリントジョブに含まれるプリント条件に従って、プリントデータに基づき用紙に画像を形成する。画像形成部１４０により画像が形成された用紙は、排紙トレイ１６０に排出される。
【００３９】
ジョブ管理部４０は、待機ジョブバッファに記憶されたプリントジョブ、ジョブ実行部３０が実行中のプリントジョブ、ジョブ実行部３０が実行を完了したプリントジョブを管理する。以下、待機ジョブバッファに記憶されたプリントジョブのうちジョブ実行部３０が実行していないプリントジョブを待機ジョブといい、待機ジョブバッファに記憶されたプリントジョブのうちジョブ実行部３０が実行中のプリントジョブを実行中ジョブといい、ジョブ実行部３０が実行を完了したプリントジョブを排紙ジョブという。ジョブ管理部４０は、プリントジョブ受付部１０がプリントジョブを受け付けた時点で、プリントジョブにプリントジョブを識別するためのジョブ識別情報を付与する。ジョブ管理部４０は、待機ジョブおよび実行中ジョブを管理するために、待機ジョブおよび実行中ジョブそれぞれを識別するためのジョブ識別情報を含む実行・待機ジョブデータを含む実行・待機ジョブテーブルをＨＤＤ１１６に記憶する。また、ジョブ管理部４０は、ジョブ実行部３０が実行を完了した排紙ジョブを管理するために、排紙ジョブのジョブ識別情報を含む排紙ジョブデータを含む排紙ジョブテーブルをＨＤＤ１１６に記憶する。
【００４０】
図５は、実行・待機ジョブデータのフォーマットの一例を示す図である。図５を参照して、実行・待機ジョブデータは、番号と、実行ジョブおよび待機ジョブそれぞれのジョブ識別情報と、指示ユーザ識別情報とを含む。番号は、実行・待機ジョブデータに付与され、ジョブが実行される順番である。指示ユーザ識別情報は、実行ジョブおよび待機ジョブそれぞれが含むユーザ識別情報であり、実行ジョブまたは待機ジョブの実行を指示したユーザを識別するためのユーザ識別情報である。
【００４１】
図６は、排紙ジョブデータのフォーマットの一例を示す図である。図６を参照して、排紙ジョブデータは、番号と、排紙ジョブのジョブ識別情報と、指示ユーザ識別情報とを含む。番号は、排紙ジョブデータに付与され、排紙ジョブが実行された順番である。指示ユーザ識別情報は、排紙ジョブが含むユーザ識別情報であり、排紙ジョブの実行を指示したユーザを識別するためのユーザ識別情報である。
【００４２】
ジョブ管理部４０は、待機ジョブバッファ２０にプリントジョブが記憶されるごとに、ジョブ識別情報と指示ユーザ識別情報との組からなる待機・実行ジョブデータを生成し、実行・待機ジョブテーブルの最後に追加する。また、ジョブ管理部４０は、ジョブ実行部３０が実行中ジョブの実行を完了すると、実行・待機ジョブテーブルの最初の番号の実行・待機ジョブデータを削除する。この段階で、残りの実行・待機ジョブデータの番号が１繰り下がる。また、ジョブ管理部４０は、ジョブ実行部３０が実行中ジョブの実行を完了すると、実行中ジョブに対応する待機・実行ジョブデータのジョブ識別情報と指示ユーザ識別情報との組からなる廃止ジョブデータを生成し、排紙ジョブテーブルの最後に追加する。また、ジョブ管理部４０は、排紙センサ１１９により排紙トレイ１６０に用紙が存在しないことが検出された場合、排紙ジョブテーブルの排紙ジョブデータをすべて消去する。
【００４３】
混載状態判断部５０は、排紙ジョブテーブルを参照して、排紙トレイ１６０に蓄積された用紙が、複数のユーザにより指示されたプリントジョブに基づいて画像が形成されたものか否かを判断する。具体的には、排紙ジョブテーブルに記憶された排紙ジョブデータの指示ユーザ識別情報が複数種類か否かを判断する。混載状態判断部５０は、排紙ジョブテーブルに記憶された排紙ジョブデータの指示ユーザ識別情報が複数種類であれば、警告部６０に警告指示を出力する。混載状態判断部５０が上記判断をする時点は、プリントジョブ受付部１０がプリントジョブを受け付けたジョブ受付時点と、ジョブ実行部３０が実行中ジョブの実行を完了したジョブ完了時点とである。
【００４４】
警告部６０は、混載状態判断部５０から警告指示が入力されると、警告を出力する。警告の出力は、（１）ランプ１７０Ｃを点灯させる場合、（２）表示部１７０Ａに警告メッセージを表示する場合、または（３）プリントジョブを送信してきたＰＣに警告メッセージを送信する場合を含む。（１）ランプ１７０Ｃを点灯させる場合は、警告部６０は、警告指示が入力されてから排紙センサ１１９により排紙トレイ１６０に用紙が存在しないことが検出されるまで、ランプ１７０Ｃを点灯させる。
【００４５】
また、警告部６０は、混載状態によって警告の種類を異ならせる。警告部６０は、排紙ジョブテーブルに記憶されたジョブデータのうちの２つのジョブデータが同じ指示ユーザ識別情報であり、それら２つのジョブデータの間に指示ユーザ識別情報の異なるジョブデータが存在する場合は、それ以外の場合に比較して高いレベルの警告をする。警告部６０は、（１）ランプ１７０Ｃを点灯させる場合、高レベルの警告であれば、ランプ１７０Ｃを赤色で点灯させ、高レベルの警告でなければランプ１７０Ｃを黄色で点灯させる。（２）表示部１７０Ａに警告メッセージを表示する場合、または（３）プリントジョブを送信してきたＰＣに警告メッセージを送信する場合は、警告部６０は、高レベルの警告の場合と、他の警告レベルの場合とで、メッセージの内容または表示する色を異ならせる。なお、メッセージの内容と色との双方を異ならせるようにしてもよい。
【００４６】
図７は、ＭＦＰで実行される混載状態警告処理の流れの一例を示すフローチャートである。混載状態警告処理は、ＭＦＰ１００が備えるＣＰＵ１１１が混載状態警告プログラムを実行することにより、ＣＰＵ１１１により実行される処理である。図７を参照して、ＣＰＵ１１１は、プリントジョブを受け付けたか否かを判断する（ステップＳ０１）。プリントジョブを受け付けたならば処理をステップＳ０２に進めるが、そうでなければ処理をステップＳ０７に進める。ＣＰＵ１１１は、通信Ｉ／Ｆ１１２または操作部１７０Ｂからプリントジョブを受け付け、受け付けたプリントジョブを待機ジョブバッファ２０に追加して記憶する。
【００４７】
ステップＳ０２においては、実行・待機ジョブテーブルを更新し、処理をステップＳ０３に進める。具体的には、ステップＳ０１で受け付けたプリントジョブを識別するためのジョブ識別情報と、プリントジョブに含まれるユーザ識別情報とから待機。実行ジョブデータを生成し、実行・待機ジョブテーブルの最後に追加する。これにより、受け付けたプリントジョブが、待機ジョブとして管理される。
【００４８】
ステップＳ０３においては、実行中ジョブが存在するか否かを判断する。画像形成部１４０が駆動中であれば実行中ジョブが存在すると判断し、処理をステップＳ０５に進め、そうでなければ実行中ジョブが存在しないと判断し、処理をステップＳ０４に進める。ステップＳ０４においては、プリントジョブの実行を開始し、処理をステップＳ０６に進める。具体的には、画像形成部１４０を制御して、プリントジョブに基づき用紙に画像を形成させる。この場合、実行・待機ジョブテーブルは、ステップＳ０２で追加した１つの実行・待機ジョブデータを含み、その実行・待機ジョブデータが実行中ジョブとして管理される。
【００４９】
ステップＳ０５においては、混載状態判断処理を実行する。混載状態判断処理については後述する。次のステップＳ０６においては、実行中ジョブが終了したか否かを判断し、実行中ジョブが終了したならば処理をステップＳ０７に進め、そうでなければ処理をステップＳ１２に進める。ステップＳ０７においては、実行・待機ジョブテーブルを更新する。具体的には、実行・待機ジョブテーブルの最初のジョブデータを削除する。そして、排紙ジョブテーブルを更新する（ステップＳ０８）。具体的には、排紙ジョブテーブルの最後に、ステップＳ０７において実行・待機ジョブテーブルで削除したジョブデータを追加する。
【００５０】
次のステップＳ０９においては、待機ジョブが存在するか否かを判断し、待機ジョブが存在すれば処理をステップＳ１０に進め、存在しなければ処理をステップＳ１２に進める。実行・待機ジョブテーブルにジョブデータが記憶されていれば、待機ジョブが存在すると判断し、ジョブデータが記憶されていなければ待機ジョブが存在しないと判断する。ステップＳ１０においては、ステップＳ０４と同様にプリントジョブの実行を開始する。この場合には、待機・実行ジョブテーブルの最初に含まれる待機・実行ジョブデータを実行中ジョブとして管理する。そして、ステップＳ０６と同様に、混載状態判断処理を実行し（ステップＳ１１）、処理をステップＳ１２に進める。
【００５１】
ステップＳ１２においては、排紙トレイ１６０に用紙が存在するか否かを判断する。排紙トレイ１６０に用紙が存在しなければ処理をステップＳ１３に進め、用紙が存在すれば処理をステップＳ０１に戻す。ステップＳ１３においては、排紙ジョブテーブルをリセットし、処理をステップＳ０１に戻す。具体的には、排紙ジョブテーブルに記憶されている排紙ジョブデータをすべて消去する。なお、後述する混載状態警告処理が実行され、ランプ１７０Ｃが点灯している場合には、ランプ１７０Ｃを消灯させる。排紙トレイ１６０に用紙が存在しなくなれば、混載状態が解除されるからである。
【００５２】
図８は、混載状態判断処理の流れの一例を示すフローチャートである。混載状態判断処理は、図７のステップＳ０６およびステップＳ１２において実行される処理である。図８を参照して、ＣＰＵ１１１は、排紙ジョブテーブルを参照して、排紙ジョブが複数あるか否かを判断する（ステップＳ２１）。排紙ジョブテーブルに複数の排紙ジョブデータが記憶されていれば処理をステップＳ２２に進め、そうでなければ処理をステップＳ２３に進める。排紙ジョブが複数でなければ、異なるユーザの指示による複数のプリントジョブに基づく画像が形成された用紙が排紙トレイ１６０に蓄積されていないからである。
【００５３】
ステップＳ２２においては、排紙ジョブの指示ユーザがすべて同じか否かを判断する。排紙ジョブテーブルに記憶されている排紙ジョブデータの指示ユーザ識別情報がすべて同じであれば処理をステップＳ２３に進め、指示ユーザ識別情報がすべて同じでなければ処理をステップＳ２５に進める。ステップＳ２５においては、警告を出力する。警告方法は、（１）ランプ１７０Ｃを点灯させる、（２）表示部１７０Ａに警告メッセージを表示する、または（３）プリントジョブを送信してきたＰＣに警告メッセージを送信する。（１）〜（３）のいずれか１つの方法で警告してもよいし、２つ以上の方法を組み合わせて警告してもよい。プリントジョブが操作部１７０Ｂから入力された場合には（２）の方法で警告し、プリントジョブが通信Ｉ／Ｆ部１１２により受信された場合には(３)の方法で警告するのが好ましい。また、（３）の方法で警告メッセージを送信する場合は、図７のステップＳ０５で混載原稿判断処理が実行される場合は、図７のステップＳ０１で受け付けたプリントジョブを送信してきたＰＣに、警告メッセージを送信するのが好ましく、図７のステップＳ１１で混載原稿判断処理が実行される場合は、図７のステップＳ０６で実行が完了したプリントジョブを送信してきたＰＣに、警告メッセージを送信するのが好ましい。
【００５４】
ステップＳ２３においては、実行中ジョブが存在するか否かを判断する。実行中ジョブが存在するならば処理をステップＳ２４に進め、実行中ジョブが存在しなければ処理を混載状態警告処理に戻す。ステップＳ２４においては、実行中ジョブの指示ユーザと、排紙ジョブの指示ユーザとが同じか否かを判断する。具体的には、実行・待機ジョブテーブルの最初の実行・待機ジョブデータ（実行中ジョブの実行・待機ジョブデータ）の指示ユーザ識別情報と、排紙ジョブテーブルのすべてのジョブデータの指示ユーザデータとが、すべて同じか否かを判断する。すべての指示ユーザ識別情報が同じならば処理を混載状態警告処理に戻し、１つでも異なれば処理をステップＳ２５に進める。
【００５５】
図７に示した混載状態警告処理のステップＳ０６において、混載状態判断処理が実行される場合は、プリントジョブが受け付けられた時である。このとき、ユーザが指示したプリントジョブは、待機ジョブまたは実行中ジョブとして管理される。ユーザがプリントジョブを指示した時点で、ユーザが指示したプリントジョブが待機ジョブとして管理される場合（図７のステップＳ０３でＹＥＳ）に、ステップＳ２２を実行することにより、排紙トレイ１６０に蓄積された用紙が既に混載状態であることを検出することができる。また、ユーザがプリントジョブを指示した時点で、排紙トレイ１６０に蓄積された用紙が既に混載状態でなくても、ユーザが指示したプリントジョブが実行中ジョブとして管理された場合（図７のステップＳ０４）に、ステップＳ２４を実行することにより、そのユーザが指示したプリントジョブが実行されて用紙が排紙トレイに出力されると混載状態となることを検出することができる。換言すれば、ユーザがプリントジョブを指示した時点で、排紙トレイ１６０に別のユーザが指示したプリントジョブに基づいて画像が形成された用紙が蓄積されていることを検出することができる。したがって、ユーザは、プリントジョブの指示をした時点で混載状態であることを知ることができる。
【００５６】
図７に示した混載状態警告処理のステップＳ１１において、混載状態判断処理が実行される場合は、プリントジョブの実行が完了した時である。ユーザがプリントジョブを指示した時点で、ユーザが指示したプリントジョブが待機ジョブとして管理され、そのプリントジョブの前に複数の待機ジョブが存在すると、排紙トレイ１６０に蓄積された用紙が既に混載状態でなければ、ユーザがプリントジョブを指示した時点で警告は出力されない。その後、ユーザが指示したプリントジョブより前に存在していた待機ジョブが実行され、ユーザが指示したプリントジョブの実行が完了した時点で、ステップＳ２２を実行することにより、ユーザがプリントジョブを指示した時点でユーザが指示したプリントジョブより前に存在していた待機ジョブが実行された結果、排紙トレイ１６０に蓄積された用紙が混載状態となったことを検出することができる。
【００５７】
また、ユーザがプリントジョブを指示した時点でユーザが指示したプリントジョブより前に存在していた待機ジョブが実行された結果、排紙トレイ１６０に蓄積された用紙は、混載状態とはならない場合であっても、ユーザが指示したプリントジョブの実行が完了した時点でステップＳ２４を実行することにより、ユーザが指定したプリントジョブより後の待機ジョブが実行されて用紙が排紙トレイに出力されると、混載状態となることを検出することができる。時間の経過と共に排紙トレイ１６０に蓄積された用紙が混載状態となるか否かが変化するので、その変化に対応することができる。したがって、ユーザは、指示したプリントジョブの実行が完了した時点で混載状態であることを知ることができる。
【００５８】
なお、本実施の形態においては、ステップS２１および２２の判断処理と、ステップS２３およびステップS２４の判断処理とを１つのフローチャートで示したが、これらば別々に実行されてもよく、いずれか一方だけの判断処理を実行するようにしてもよい。
【００５９】
図９は、表示部に表示される警告メッセージの一例を示す図である。この警告メッセージは、ＭＦＰ１００の表示部１７０Ａに表示される。警告メッセージは、「トレイジョウニ  タニンノ  シュツリョクガアリマス」である。このため、ＭＦＰ１００の排紙トレイ１６０から用紙を取得しようとするユーザは、排紙トレイ１６０に蓄積された用紙が混載状態であることを知ることができる。
【００６０】
図１０は、ＰＣで表示される警告メッセージの一例を示す第１の図である。ＭＦＰ１００は、警告メッセージをジョブ受付時点とジョブ完了時点とのいずれかでＰＣ２００に送信するが、ここでは、ＭＦＰ１００がジョブ受付時点にＰＣ２００に送信する警告メッセージの一例を示す。ＰＣ２００は、ＭＦＰ１００が送信する警告メッセージを受信し、表示する。この場合、警告メッセージは、ＭＦＰ１００がＰＣ２００に送信する印刷受信通知とともに、ＰＣ２００において受信され、印刷受信通知とともに表示される。図１０を参照して、印刷受信通知として表示される画面は、「排紙トレイ上に他人のジョブ出力が存在しています」の警告メッセージを含む。このため、ＰＣ２００のユーザは、ＭＦＰ１００にプリントジョブを実行させる指示をＰＣ２００に入力した時点で、ＭＦＰ１００の排紙トレイ１６０に蓄積された用紙が混載状態であることを知ることができる。
【００６１】
図１１は、プリントジョブを送信してきたＰＣで表示される警告メッセージの一例を示す第２の図である。ここでは、ＭＦＰ１００がジョブ完了時点にＰＣ２００に送信する警告メッセージの一例を示す。ＰＣ２００は、ＭＦＰ１００が送信する警告メッセージを受信し、表示する。この場合、警告メッセージは、ＭＦＰ１００がＰＣ２００に送信する印刷完了通知とともに、ＰＣ２００において受信され、印刷完了通知とともに表示される。図１１を参照して、印刷受信通知として表示される画面は、「出力：Ｗｏｒｄ００１と出力Ｗｏｒｄ００２の間に他ユーザからの出力物が存在します」の警告メッセージを含む。ここでは、警告メッセーは赤色で表示される。このため、ＰＣ２００のユーザは、ＭＦＰ１００にプリントジョブを実行させる指示をＰＣ２００に入力した後、そのプリントジョブの実行が完了した時点で、ＭＦＰ１００の排紙トレイ１６０に蓄積された用紙が混載状態であることを知ることができる。
【００６２】
以上説明したように、本実施の形態におけるＭＦＰ１００は、プリントジョブに基づいて用紙に画像を形成することに応じて、プリントジョブに含まれるユーザ識別情報を含む履歴情報を生成し、記憶する。一方、排紙センサ１１９により排紙トレイ１６０に用紙が蓄積されていないことが検出されることに応じて、履歴情報を消去する。そして、履歴情報に基づいて、複数のユーザにより指示されたプリントジョブに基づいて画像が形成された用紙が排紙トレイ１６０に蓄積された混載状態か否かを判断し、混載状態と判断した場合、警告を出力する。このため、排紙トレイ１６０に複数のユーザの指示により画像が形成された用紙が蓄積された場合に、警告が出力されるので、画像を形成するのを中断することなく画像を形成することができる。また、警告を受けたユーザは、排紙トレイ１６０に他人が指示したプリントジョブに基づいて画像が形成された用紙が蓄積されていることを知るので、ユーザが他人の用紙を誤って取得するのを防止することができる。
【００６３】
また、実行中ジョブのユーザ識別情報と、排紙ジョブのユーザ識別情報とを比較するので、排紙トレイ１６０に蓄積された用紙が混載状態でなくても、実行中ジョブが実行されて用紙が排紙されると混載状態となることを判断することができる。
【００６４】
また、プリントジョブを受け付けた時点で、混載状態か否かを判断するので、ユーザがプリント指示をした時点で、排紙トレイ１６０に蓄積された用紙が混載状態であること、または、そのユーザが指示をしたプリントジョブが実行されると混載状態となることを判断することができる。
【００６５】
また、ユーザの指示したプリントジョブの実行が完了した時点で、混載状態か否かを判断するので、ユーザの指示したプリントジョブの実行が完了した時点で、排紙トレイ１６０に蓄積された用紙が混載状態であること、または、そのプリントジョブより後の待機上部が実行されると混載状態となることを判断することができる。
【００６６】
また、警告メッセージが操作パネルに表示されるので、排紙トレイ１６０から用紙を取得しようとするユーザに、警告することができる。
【００６７】
また、警告メッセージが、プリントジョブを送信してきたコンピュータに送信されるので、ＭＦＰ１００を遠隔操作するユーザに警告することができる。
【００６８】
なお、上述した実施の形態においては、画像形成装置としてＭＦＰ１００について説明したが、図７および図８に示した処理をＭＦＰ１００に実行させるための混載状態警告方法または混載状態警告プログラムとして発明を捉えることができるのは言うまでもない。
【００６９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００７０】
＜付記＞
（１）  前記警告手段は、前記操作パネルが備える警告ランプを点灯させる点灯手段を含む、請求項６に記載の画像形成装置。
（２）  前記警告手段は、前記操作パネルが備える表示手段に警告メッセージを表示する表示手段を含む、請求項６に記憶の
【図面の簡単な説明】
【００７１】
【図１】本発明の実施の形態の１つにおける画像形成システムの全体概要を示す図である。
【図２】ＭＦＰの外観を示す斜視図である。
【図３】ＭＦＰの機能の概要を示す機能ブロック図である。
【図４】ＭＦＰが備えるＣＰＵ１１１の機能の概要を示す機能ブロック図である。
【図５】実行・待機ジョブテーブルのフォーマットの一例を示す図である。
【図６】排紙ジョブテーブルのフォーマットの一例を示す図である。
【図７】ＭＦＰで実行される混載状態警告処理の流れの一例を示すフローチャートである。
【図８】混載状態判断処理の流れの一例を示すフローチャートである。
【図９】表示部に表示される警告メッセージの一例を示す図である。
【図１０】プリントジョブを送信してきたＰＣで表示される警告メッセージの一例を示す第１の図である。
【図１１】プリントジョブを送信してきたＰＣで表示される警告メッセージの一例を示す第２の図である。
【符号の説明】
【００７２】
１  画像形成システム、２  ネットワーク、１０  プリントジョブ受付部、２０  待機ジョブバッファ、３０  ジョブ実行部、４０  ジョブ管理部、５０  混載状態判断部、６０  警告部、１００  ＭＦＰ、１１０  メイン回路、１１１  ＣＰＵ、１１２  通信Ｉ／Ｆ部、１１３  ＲＯＭ、１１４  ＲＡＭ、１１５  ＥＥＰＲＯＭ、１１６  ＨＤＤ、１１７  ファクシミリ部、１１８  カードＩ／Ｆ、１１８Ａ  フラッシュメモリ、１１９  排紙センサ、１２０  ＡＤＦ、１３０  原稿読取部、１４０  画像形成部、１５０  給紙部、１６０  排紙トレイ、１７０  操作パネル、１７０Ａ  表示部、１７０Ｂ  操作部、１７０Ｃ  ランプ。
【図１】
2008023878.tif 000003
【図２】
2008023878.tif 000004
【図３】
2008023878.tif 000005
【図４】
2008023878.tif 000006
【図５】
2008023878.tif 000007
【図６】
2008023878.tif 000008
【図７】
2008023878.tif 000009
【図８】
2008023878.tif 000010
【図９】
2008023878.tif 000011
【図１０】
2008023878.tif 000012
【図１１】
2008023878.tif 000013